(57)【要約】【課題】ミスト発生器を使用し始めるときの温度の低い水を浴槽や洗面器等の水受け部に溜めることでこの水を無駄に捨てることなく使用できるミスト発生器への給湯構造を提供する。【解決手段】給湯器１４で得た湯を送る給湯管２のミスト発生器７への給湯口部分から２つの出口管路８，９を分岐して連出する。２つの出口管路８，９のうち一方の出口管路８を前記ミスト発生器７に連通させると共に他方の出口管路９を浴槽１０や洗面器等の水受け部Ｂに連通させる。２つの出口管路８，９を分岐した給湯口部分に三方弁１１を設けると共に三方弁１１にこの部分を通過する水の温度を検出する温度センサー１２を設ける。温度センサー１２で検出する水温が所定温度以下のときには水受け部Ｂの方に水が流れ且つ水温が所定温度以上になったときにはミスト発生器７の方に流れるように前記三方弁１１を切り替え制御する。【選択図】        図１
2004257633.tif 000002
【特許請求の範囲】
【請求項１】
給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路を分岐した給湯口部分に三方弁を設けると共に前記三方弁にこの部分を通過する水の温度を検出する温度センサーを設け、前記温度センサーで検出する水温が所定温度以下のときには前記水受け部の方に水が流れ且つ水温が所定温度以上になったときには前記ミスト発生器の方に流れるように前記三方弁を切り替え制御したことを特徴とするミスト発生器への給湯構造。
【請求項２】
給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路を分岐した給湯口部分に三方弁を設け、前記給湯器が燃焼するために必要な最低作動流量以上の流量が流れないと遮断して最低の水の流量を確保する定流量弁を前記三方弁の前記給湯管側に配置し、前記ミスト発生器に必要なだけの流量の水が前記ミスト発生器に流れ且つ余剰の水が水受け部の方に流れるように前記三方弁を制御したことを特徴とするミスト発生器への給湯構造。
【請求項３】
給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路に夫々この管路を開閉する開閉弁を配置し、前記給湯口部分にこの部分の水の温度を検出する温度センサーを設け、前記温度センサーで検出する水温が所定温度以下のときには前記水受け部の方に水が流れ且つ水温が所定温度以上になったときには前記ミスト発生器の方に流れるように前記２つの出口管路の開閉弁を制御したことを特徴とするミスト発生器への給湯構造。
【請求項４】
給湯器で得た温水を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記ミスト発生器に連通する出口管路部分にこの部分を流れる水の量を検出する流量検出センサーを設け、さらに前記２つの出口管路に夫々この管路を流れる水の量を調整する流量調整弁を配置し、前記流量検出センサーで検出する流量が給湯器の最低作動流量以下のとき前記水受け部に連通する出口管路の流量調整弁の開度を制御して、前記ミスト発生器と前記水受け部に流れる水量の合計が前記給湯器の最低作動流量以上になるように流量調整したことを特徴とするミスト発生器への給湯構造。
【発明の詳細な説明】
【０００１】
【発明の属する技術分野】
本発明は、浴室を暖房したり、浴室でサウナ浴したりするときに用いるミスト発生器に給湯するための給湯構造に関するものである。
【０００２】
【従来の技術】
温水端末機の一例としてミスト発生器があり、このミスト発生器を浴室内に設置して浴室内にミストを噴出して浴室内を暖房するようにしたものがある（例えば、特許文献１参照）。かかるミスト発生器は給湯された温水をその水圧にて噴霧ノズルから噴射することによりミストを発生して噴霧するようになっている。また浴室の洗い場の壁面には湯水混合栓を配置してあり、給湯器から湯が供給される給湯管と水が給水される給水管とを湯水混合栓に連結させてある。また給湯管の湯水混合栓の手前の部分とミスト発生器とを連結して給湯管からミスト発生器に温水を供給するようにしてある。
【０００３】
【特許文献１】
特開平１０−１８５２２３号公報
【０００４】
【発明が解決しようとする課題】
ところで、ミスト発生器を使用し始めるときは給湯管の水の温度が下がっていることが多く、ミスト発生器を使用し始めるときに冷たいミストしか発生できなくて浴室を暖房するミストを発生できない。また入浴途中でサウナ浴をしようとした場合、冷たいミストが発生すると、不快なだけでなく、健康上、危険である。これをなくすため、ミスト発生器に排水栓を設けておき、ミスト発生器を使用する当初に排水栓を開いて温度の高い温水が供給されるまで排水栓を開いて冷たい水を洗い場に捨てることも行われているが、水を洗い場に流して捨てているために水が無駄になるという問題がある。
【０００５】
また給湯器の燃焼で加熱された温水を給湯管にて給湯するようになっているが、給湯管で給湯される流量が所定の最低作動流量（例えば３．５リットル／ｍｉｎ）以上にならないと給湯器が燃焼せず、湯が給湯されないようになっている。このためミスト発生器で使用する温水の流量が上記最低作動流量以下になったとき、ミスト発生器には温度の低い水が供給されるようになって冷たいミストが発生することになる。これをなくすために多量のミストを発生すると捨てる水の量が多くなり、水の無駄な使用となるという問題がある。
【０００６】
本発明は上記の点に鑑みてなされたものであり、ミスト発生器を使用し始めるときの温度の低い水を浴槽や洗面器等の水受け部に溜めることでこの水を無駄に捨てることなく使用でき、またミスト発生器で使用する水の流量が給湯器の燃焼する最低作動流量以下になってもミスト発生器に温水を供給して使用できるミスト発生器への給湯構造を提供することを課題とするものである。
【０００７】
【課題を解決するための手段】
上記課題を解決するための本発明のミスト発生器への給湯構造は、給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路を分岐した給湯口部分に三方弁を設けると共に前記三方弁にこの部分を通過する水の温度を検出する温度センサーを設け、前記温度センサーで検出する水温が所定温度以下のときには前記水受け部の方に水が流れ且つ水温が所定温度以上になったときには前記ミスト発生器の方に流れるように前記三方弁を切り替え制御したことを特徴とする。
【０００８】
ミスト発生器を使用するときに給湯管から給湯されるが、このときの温度が温度センサーで検出されて水の温度が所定温度以下のときは三方弁の切り替えで浴槽、洗面器等の水受け部に受けられ、所定温度以上の温水が給湯されたとき三方弁の切り替えでミスト発生器に給湯される。これによりミスト発生器の使用当初に温度の低い水を浴槽、洗面器等に回収して使用できて水の無駄をなくすことができ、また使用当初に冷たいミストを発生するような弊害を防止できる。また温度センサーにより水の温度を検出することで水受け部への水の回収とミスト発生器に温水を供給する切り替えが自動的にできる。
【０００９】
また給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路を分岐した給湯口部分に三方弁を設け、前記給湯器が燃焼するために必要な最低作動流量以上の流量が流れないと遮断して最低の水の流量を確保する定流量弁を前記三方弁の前記給湯管側に配置し、前記ミスト発生器に必要なだけの流量の水が前記ミスト発生器に流れ且つ余剰の水が水受け部の方に流れるように前記三方弁を制御したことを特徴とすることも好ましい。
【００１０】
給湯器が燃焼する最低作動流量の水が流れないと定流量弁が閉じられてミスト発生器に温水が供給されなく、給湯器が燃焼して温水を供給するときミスト発生器を使用できる。またミスト発生器で使用する温水の流量が給湯器の燃焼する最低作動流量より少なくなっても余剰の水を水受け部に受けることで給湯器が燃焼する最低の流量を確保してミスト発生器に温水を供給できると共に水受け部に回収した水を無駄なく使用できる。
【００１１】
また給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路に夫々この管路を開閉する開閉弁を配置し、前記給湯口部分にこの部分の水の温度を検出する温度センサーを設け、前記温度センサーで検出する水温が所定温度以下のときには前記水受け部の方に水が流れ且つ水温が所定温度以上になったときには前記ミスト発生器の方に流れるように前記２つの出口管路の開閉弁を制御したことを特徴とすることも好ましい。
【００１２】
ミスト発生器を使用するときに給湯管から給湯されるが、このときの水の温度が温度センサーで検出されて所定温度以下のときは開閉弁の切り替えで浴槽、洗面器等の水受け部に受けられ、所定温度以上の湯が給湯されたとき開閉弁の切り替えでミスト発生器に給湯される。これによりミスト発生器の使用当初に温度の低い水を浴槽、洗面器等に回収して使用できて水の無駄をなくすことができ、また使用当初に冷たいミストを発生するような弊害を防止できる。また温度センサーにより水の温度を検出することで水受け部への水の回収とミスト発生器に温水を供給する切り替えが自動的にできる。
【００１３】
また給湯器で得た温水を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記ミスト発生器に連通する出口管路部分にこの部分を流れる水の量を検出する流量検出センサーを設け、さらに前記２つの出口管路に夫々この管路を流れる水の量を調整する流量調整弁を配置し、前記流量検出センサーで検出する流量が給湯器の最低作動流量以下のとき前記水受け部に連通する出口管路の流量調整弁の開度を制御して、前記ミスト発生器と前記水受け部に流れる水量の合計が前記給湯器の最低作動流量以上になるように流量調整したことを特徴とすることも好ましい。
【００１４】
ミスト発生器で使用する温水の流量が給湯器の燃焼する最低作動流量より少なくなったとき、流量検出センサーで検出されてこの検出で水受け部の流量調整弁の開度を調整して水受け部に余剰の水を受けることで給湯器が燃焼する最低の流量を確保してミスト発生器に温水を供給できると共に水受け部に回収した水を無駄なく使用できる。また水受け部側はミスト発生器側より通水時の抵抗が小さいために水受け部に流れ過ぎになりやすい。そこで２つの出口管路に配置された流量調整弁を調整することにより、給湯器の最低作動流量を確保してミスト発生器に温水を供給できると共に、水受け部には必要最低限の水が流れ込み、これもまた無駄なく使用できる。
【００１５】
【発明の実施の形態】
図１に示すように浴室の洗い場の壁面には湯水混合栓１を装着してあり、この湯水混合栓１には給湯管２と給水管３とを連結してあり、湯水混合栓１で温水と冷水とを混合できるようになっている。この湯水混合栓１に蛇口４を設けてあり、また湯水混合栓１からシャワーホース５を導出してあり、シャワーホース５の先端にシャワーヘッド６を装着してある。給湯管２は給湯器１４に連結してあり、給湯器１４で燃料を燃焼させることにより温水を発生して供給できるようになっている。給湯管２の湯水混合栓１の連結する手前の部分から給湯管２の連出管２ａを連出してあり、この連出管２ａの先端部分を給湯口としてミスト発生器７に給湯できるようになっている。ミスト発生器７は水圧で噴霧ノズルから噴射してミストを発生するものである。
【００１６】
給湯管２の連出管２ａの先端の部分から２つの出口管路８，９を分岐して連出してあり、一方の出口管路８をミスト発生器７に連結してあり、他方の出口管路９を水受け部Ｂに連通させてある。本例の場合、水受け部Ｂが浴槽１０であるが、洗面器等であってもよい。連出管２ａの先端の給湯口の部分には三方弁１１を配置してあり、給湯管２から供給される水を出口管路８，９に切り替えて流すことができるようになっている。この三方弁１１はミスト発生器７の制御部で切り替え制御されるようになっている。この三方弁１１の部分にはこの部分を流れる水の温度を検出するサーミスタのような温度センサー１２を設けてあり、この温度センサー１２で検出した温度により上記三方弁１１を切り替え制御できるようになっている。
【００１７】
また連出管２ａの給湯口の部分には三方弁１１より上流側の位置で定流量弁１３を設けてある。かかる定流量弁１３は下流側を流れる流量が所定流量以下のときに遮断するようになっている。つまり、給湯器１４は所定の最低作動流量（例えば、３．５リットル／ｍｉｎ）を確保できないと燃焼せず、冷水しか供給できないようになっているが、このとき、定流量弁１３が遮断されてミスト発生器７に冷水が供給されるのを防ぐことができるようになっている。
【００１８】
ミスト発生器７を使用するとき、次のようにミスト発生器７に給湯される。三方弁１１の部分に設けた温度センサー１２にて三方弁１１の部分を流れる水の温度が検出されるようになっており、この部分の温度が所定温度（例えば４８℃）以上にならないと、ミスト発生器７側に水が供給されないようになっている。ミスト発生器７を使用する当初は給湯管２内の水の温度が低いために三方弁１１はミスト発生器７の方に水が流れなく、浴槽１０の方に水が流れるように三方弁１１が切り替わっており、温度の低い水が浴槽１０に流れて浴槽１０に溜められるようになっている。三方弁１１の部分を流れる水の温度が所定温度以上になったことを温度センサー１２にて検出したとき、温水がミスト発生器７の方に流れるように三方弁１１が切り替わり、ミスト発生器７に温水が供給される。このようにすることで、ミスト発生器７の使用開始時に冷たいミストが発生するのを防止できると共に温度の低い水を捨てることなく有効に利用できる。このときの切り替えが自動的に行えるようになっている。
【００１９】
また給湯器１４は最低作動流量以上の水が流れないと、燃焼しなくて温水が供給されないようになっているが、三方弁１１より上流側に定流量弁１３が配置してあるためにミスト発生器７の使用水量が上記最低作動流量以下になったとき、定流量弁１３が遮断されてミスト発生器７の方に水が供給されないようになっている。これによりミスト発生器７に冷たい水が供給されて冷たいミストが発生するのを防止できるようになっている。しかしながら、浴室の温度が高くなったりしたとき、上記最低作動流量以下の流量のミストをミスト発生器７で発生させてミストの無駄をなくしたいときがある。このとき、ミスト発生器７に必要な流量の温水を供給すると共に残りの温水を浴槽１０の方に流すように三方弁１１を調整する。これにより、ミスト発生器７で使用するミストの量が少なくとも定流量弁１３を開いて燃焼する給湯器１４から給湯できる。このとき、余剰の水を浴槽１０に回収できて水を捨てることなく有効に使用できる。
【００２０】
また、図２は他の例を示すものである。本例の場合も、給湯管２のミスト発生器７に給湯する給湯口から２つの分岐した出口管路８，９を連出してあり、一方の出口管路８をミスト発生器７に連結してあり、他方の出口管路９を水受け部Ｂとしての浴槽１０に連通させてある。２つの出口管路９には夫々開閉弁１５，１６を設けてある。この開閉弁１５，１６はミスト発生器７で制御されるようになっている。２つの出口管路８，９に分岐した部分にはこの部分の水の温度を検出する温度センサー１２を設けてある。１８は信号線である。
【００２１】
ミスト発生器７を使用するとき、次のようにミスト発生器７に給湯される。温度センサー１２にて水の温度が検出されるようになっており、この部分の温度が所定温度（例えば４８℃）以上にならないと、ミスト発生器７側に水が供給されないようになっている。ミスト発生器７を使用する当初は給湯管２内の水の温度が低いため開閉弁１５が閉じてミスト発生器７の方に水が流れなく、開閉弁１６を開いて浴槽１０の方に水が流れるようになっており、温度の低い水が浴槽１０に流れて浴槽１０に溜められるようになっている。水の温度が所定温度以上になったことを温度センサー１２にて検出したとき、開閉弁１５が開いてミスト発生器７の方に水が流れるようになると共に開閉弁１６が閉じて浴槽１０に水が流れるのが止められる。このようにすることで、ミスト発生器７の使用開始時に冷たいミストが発生するのを防止できると共に温度の低い水を捨てることなく有効に利用できる。このときの切り替えが自動的に行えるようになっている。
【００２２】
また給湯器１４は最低作動流量以上の流量が流れないと、燃焼しなくて温水が供給されないようになっているため、ミスト発生器７で使用する流量がこれより少ないと、ミスト発生器７に冷たい水が供給されて冷たいミストが発生するおそれがあるが、このとき、開閉弁１５を開いてミスト発生器７に必要な流量の温水を供給すると共に残りの温水を浴槽１０の方に流すように開閉弁１６との開度を調整すると、給湯器１４が燃焼する流量を確保でき、ミスト発生器７で使用するミストの量が少なくとも燃焼する給湯器１４から給湯できる。このとき、余剰の水を浴槽１０に回収できて水を捨てることなく有効に使用できる。
【００２３】
また図３は他の例を示すものである。本例の場合も、給湯管２のミスト発生器７に給湯する給湯口から２つの分岐した出口管路８，９を連出してあり、一方の出口管路８をミスト発生器７に連結してあり、他方の出口管路９を水受け部Ｂとしての浴槽１０に連通させてある。２つの出口管路９には夫々流量調整弁２０，２１を設けてある。また出口管路８には出口管路９を流れる水の流量を検出する流量検出検出センサー２２を配置してある。１８は信号線である。
【００２４】
給湯器１４は最低作動流量以上の水が流れないと、燃焼しなくて温水が供給されないようになっているが、本例の場合、ミスト発生器７に連通する出口管路８を流れる温水の流量が流量検出センサー２２で検出されており、流量検出センサー２２で検出する流量が最低作動流量以下になったとき、出口管路９の流量調整弁２１が開くように流量調整弁２１の開度が調整され、浴槽１０に水が流れて浴槽１０に水が受けられる。このように浴槽１０に余剰の水を受けることで給湯器１４が燃焼する最低作動流量を確保してミスト発生器７に温水を供給できると共に浴槽１０に回収した水を無駄なく使用できる。また浴槽１０側はミスト発生器７側より通水時の抵抗が小さいために浴槽１０に流れ過ぎになりやすい。そこで２つの出口管路８，９に配置された流量調整弁２０，２１を調整することにより、給湯器１４の最低作動流量を確保してミスト発生器７に温水を供給できると共に、浴槽１０には必要最低限の水が流れ込み、これもまた無駄なく使用できる。
【００２５】
【発明の効果】
本発明の請求項１の発明は、給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路を分岐した給湯口部分に三方弁を設けると共に前記三方弁にこの部分を通過する水の温度を検出する温度センサーを設け、前記温度センサーで検出する水温が所定温度以下のときには前記水受け部の方に水が流れ且つ水温が所定温度以上になったときには前記ミスト発生器の方に流れるように前記三方弁を切り替え制御しているので、水の温度が温度センサーで検出されて所定温度以下のときは三方弁の切り替えで浴槽、洗面器等の水受け部に受けられ、所定温度以上の湯が給湯されたとき三方弁の切り替えでミスト発生器に給湯されるものであって、ミスト発生器の使用当初に温度の低い水を浴槽、洗面器等に回収して使用できて水の無駄をなくすことができると共に使用当初に冷たいミストを発生するような弊害を防止できるものであり、また温度センサーにより水の温度を検出することで水受け部への水の回収とミスト発生器に温水を供給する切り替えが自動的にできるものである。
【００２６】
また本発明の請求項２の発明は、給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路を分岐した給湯口部分に三方弁を設け、前記給湯器が燃焼するために必要な最低作動流量以上の流量が流れないと遮断して最低の水の流量を確保する定流量弁を前記三方弁の前記給湯管側に配置し、前記ミスト発生器に必要なだけの流量の水が前記ミスト発生器に流れ且つ余剰の水が水受け部の方に流れるように前記三方弁を制御したので、給湯器が燃焼する最低作動流量の水が流れないと定流量弁が閉じられてミスト発生器に温水が供給されなく、給湯器が燃焼して温水を供給するときミスト発生器を使用できるようになるものであり、またミスト発生器で使用する温水の流量が給湯器の燃焼する最低作動流量より少なくなっても余剰の水を水受け部に受けることより給湯器が燃焼する最低の流量を確保してミスト発生器に温水を供給できると共に水受け部に回収した水を無駄なく使用できるものである。
【００２７】
また本発明の請求項３の発明は、給湯器で得た湯を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記２つの出口管路に夫々この管路を開閉する開閉弁を配置し、前記給湯口部分にこの部分の水の温度を検出する温度センサーを設け、前記温度センサーで検出する水温が所定温度以下のときには前記水受け部の方に水が流れ且つ水温が所定温度以上になったときには前記ミスト発生器の方に流れるように前記２つの出口管路の開閉弁を制御したので、水の温度が温度センサーで検出されて所定温度以下のときは開閉弁の切り替えで浴槽、洗面器等の水受け部に受けられ、所定温度以上の湯が給湯されたとき開閉弁の切り替えでミスト発生器に給湯されるものであって、これによりミスト発生器の使用当初に温度の低い水を浴槽、洗面器等に回収して使用できて水の無駄をなくすことができ、また使用当初に冷たいミストを発生するような弊害を防止できるものであり、また温度センサーにより水の温度を検出することで水受け部への水の回収とミスト発生器に温水を供給する切り替えが自動的にできるものである。
【００２８】
本発明の請求項４の発明は、給湯器で得た温水を送る給湯管のミスト発生器への給湯口部分から２つの出口管路を分岐して連出し、前記２つの出口管路のうち一方の出口管路を前記ミスト発生器に連通させると共に他方の出口管路を浴槽や洗面器等の水受け部に連通させ、前記ミスト発生器に連通する出口管路部分にこの部分を流れる水の量を検出する流量検出センサーを設け、さらに前記２つの出口管路に夫々この管路を流れる水の量を調整する流量調整弁を配置し、前記流量検出センサーで検出する流量が給湯器の最低作動流量以下のとき前記水受け部に連通する出口管路の流量調整弁の開度を制御して、前記ミスト発生器と前記水受け部に流れる水量の合計が前記給湯器の最低作動流量以上になるように流量調整したので、ミスト発生器で使用する温水の流量が給湯器の燃焼する最低作動流量より少なくなったとき、流量検出センサーで検出されてこの検出で水受け部の流量調整弁の開度を調整して水受け部に余剰の水を受けることで給湯器が燃焼する最低の流量を確保してミスト発生器に温水を供給できると共に水受け部に回収した水を無駄なく使用できるものであり、また水受け部はミスト発生器より通水時の抵抗が小さいために水受け部に流れ過ぎになりやすいが、２つの出口管路に配置された流量調整弁を調整することにより、給湯器の最低作動流量を確保してミスト発生器に温水を供給できると共に、水受け部には必要最低限の水が流れ込み、これもまた無駄なく使用できるものである。
【図面の簡単な説明】
【図１】本発明の実施の形態の一例を示す概略斜視図である。
【図２】同上の他の例の概略管路図である。
【図３】同上の他の例の概略管路図である。
【符号の説明】
Ｂ  水受け部
２  給湯管
７  ミスト発生器
８  出口管路
９  出口管路
１０  浴槽
１１  三方弁
１２  温度センサー
１３  定流量弁
１４  給湯器
１５  開閉弁
１６  開閉弁
２０  流量調整弁
２１  流量調整弁
２２  流量検出センサー
【図１】
2004257633.tif 000003
【図２】
2004257633.tif 000004
【図３】
2004257633.tif 000005